(57)【特許請求の範囲】
【請求項１】
集合住宅の各住戸に配置され、ドアホン子器を接続したインターホン親機と、管理人室等に配置された警報監視盤とを接続して構成した集合住宅用インターホンシステムにおいて、
前記ドアホン子器は、訪問者を撮影するカメラを備え、
前記インターホン親機は、防犯センサと、前記警報監視盤から警戒信号を受信して、前記カメラを作動させるカメラ制御部とを備え、
前記警報監視盤は、前記防犯センサの作動によって、インターホン親機のいずれかから防犯異常検知信号を受信したときには、その防犯異常検知信号を送信してきたインターホン親機の配置された住戸を判別して、判別した住戸および該住戸に近隣した住戸に設置されたインターホン親機に前記警戒信号を送信することによって、それらの住戸に設置された前記カメラを所定のモードで一斉に作動させ、
前記インターホン親機のカメラ制御部は、前記警戒信号に応じて撮影している画像データを監視し、所定の状態変化を検出した画像データのみを、有効な画像データとして出力する構成にしている集合住宅用インターホンシステム。
【請求項２】
請求項１において、
前記警報監視盤側には画像データ記憶手段を備えており、
前記インターホン親機は、前記警戒信号に応じて撮影した画像データを前記警報監視盤に送信し、前記警報監視盤側では送信されて来た画像データを前記画像データ記憶手段に蓄積する構成にしている集合住宅用インターホンシステム。
【請求項３】
請求項１または２において、
前記画像データの状態変化は、画像データの１画面を複数エリアに区分し、そのエリア毎に監視し、判別されるようにしている、集合住宅用インターホンシステム。
【発明の詳細な説明】
【技術分野】
【０００１】
本発明は、ドアホン子器に設けたカメラにより不審者等を撮影する機能を有した集合住宅用インターホンシステムに関する。
【背景技術】
【０００２】
近時、全国各地でピッキング等による空き巣狙いが多発しており、不審者に対する住戸のセキュリティを強化することが要望されている。このような状況に対応した従来技術の例として、次の特許文献１には、住戸の玄関先に設置されるドアホンにカメラと人感センサとを設けておき、人感センサが人を検知したらカメラを作動させて撮影し、その画像を録画することが記載されている。
【特許文献１】特開平１１−２２５３２７号公報
【発明の開示】
【発明が解決しようとする課題】
【０００３】
しかしながら、上記のように防犯センサとその住戸に備えられたドアホンのカメラとを連動させる構成では、不審者は住戸に侵入する際にその住戸のカメラの位置を事前にチェックして撮影されないように行動するため、セキュリティ効果が充分に得られない虞があった。
【０００４】
そこで、本発明は、集合住宅の各住戸に配置され、ドアホン子器を接続したインターホン親機と、管理人室等に配置された警報監視盤とを接続して構成した集合住宅用インターホンシステムにおいて、不審者の侵入行為等を検出したときには、その不審者を確実にカメラで撮影できるようにすることを課題とする。
【課題を解決するための手段】
【０００５】
本発明による集合住宅用インターホンシステムでは、ドアホン子器は、訪問者を撮影するカメラを備え、インターホン親機は、防犯センサと、警報監視盤から警戒信号を受信して、カメラを作動させるカメラ制御部とを備え、警報監視盤は、防犯センサの作動によって、インターホン親機のいずれかから防犯異常検知信号を受信したときには、その防犯異常検知信号を送信してきたインターホン親機の配置された住戸を判別して、判別した住戸および該住戸に近隣した住戸に設置されたインターホン親機に警戒信号を送信することによって、それらの住戸に設置されたカメラを所定のモードで一斉に作動させ、インターホン親機のカメラ制御部は、警戒信号に応じて撮影している画像データを監視し、所定の状態変化を検出した画像データのみを、有効な画像データとして出力する。
【０００６】
ここに、警報監視盤側には画像データ記憶手段を備えており、インターホン親機は、警戒信号に応じて撮影した画像データを警報監視盤に送信し、警報監視盤側では送信されて来た画像データを画像データ記憶手段に蓄積する構成としてもよい。なお、インターホン親機がその画像データを蓄積しても構わない。
【０００８】
なお、画像データの状態変化は、画像データの１画面を複数エリアに区分し、そのエリア毎に監視し、判別されるようにしてもよい。
【発明の効果】
【０００９】
本発明によれば、集合住宅の各住戸に設置されたドアホン子器のカメラ、すなわち複数台のカメラで不審者を撮影するように構成しているため、不審者がどのカメラによっても撮影されずに逃走することは非常に困難であり、不審者を確実に撮影することができる。更に、不審者は複数のカメラによって撮影されているはずなので、人相、風体が判別可能な画像が得られる可能性が高く、不審者を特定するために大いに役立つ。
【００１０】
各住戸のドアホン子器のカメラで画像データを警報監視盤に送信し、警報監視盤側では送信されて来た画像データを画像データ記憶手段に蓄積する構成では、その画像データをインターホン親機に蓄積する必要がないので、インターホン親機の記憶容量が圧迫される、あるいは訪問者の画像データが上書きされ消えてしまう等の虞がない。
【００１１】
インターホン親機のカメラ制御部は、警戒信号に応じて撮影している画像データを監視し、所定の状態変化を検出した画像データのみを、有効な画像データとして出力するため、インターホン親機あるいは警報監視盤に無駄な画像データが記憶されることがないので、画像データ記憶手段の記憶容量が無駄にならない。
【００１２】
画像データの状態変化は、画像データの１画面を複数エリアに区分し、そのエリア毎に監視して状態変化を検出する方法は、比較的簡単な仕組みで実現できるため、コストが抑制できる。
【発明を実施するための最良の形態】
【００１３】
図１は、本発明の実施例の概略構成を説明するシステム図である。
この集合住宅用インターホンシステム１は、集合住宅の各住戸に配置され、ドアホン子器１１（カメラ付ドアホン）および防犯センサ１２を接続したインターホン親機１３と、管理人室等に配置され、インターホン親機１３の異常検知信号を受信する警報監視盤１４と、住棟の玄関口に設置されたロビーインターホン１５とを多重伝送線Ｌおよび分岐器１６を介して接続した基本構成となっている。映像制御盤１７は、ロビーインターホン１５に設けられたカメラ１５ａで撮影した画像データを、ロビーインターホン１５で指定したインターホン親機１３に伝送するために画像圧縮や経路切替等を行う。
【００１４】
集合住宅用インターホンシステム１は、従来のインターホンシステムと同様の基本機能を有する。すなわち、ドアホン子器１１、ロビーインターホン１５側からインターホン親機１３を呼び出して相互通話することができる。ドアホン子器１１およびロビーインターホン１５には、訪問者を撮影するカメラ１１ａ、１５ａが設けられており、インターホン親機１３では、それらのカメラ１１ａ、１５ａが撮影した画像をモニタ画面上で確認できるようになっている。
【００１５】
また、インターホン親機１３には、火災を検知するための熱センサ、煙センサ、ガス漏れを検知するためのガスセンサ、不審者の侵入行為等の防犯異常を検知する防犯センサ１２等が接続されており、それらのセンサが異常を検知したときには、インターホン親機１３が音声等で住人に報知すると共に、異常検知信号が警報監視盤１４に送信される。警報監視盤１４は、その異常検知信号を受信すると、ブザー等を鳴動させて管理人に報知する、外部機関に移報する等の処理を行う。
【００１６】
防犯センサ１２は、住戸の玄関ドアや窓等を監視するものであり、住戸のドアや窓が解放されると異常として検出する。具体的な防犯センサ１２としては、例えば、磁石により玄関ドアや窓の開閉を検知するマグネットスイッチ、電気錠がピッキング等によりＩＤ認証なしで解錠されたことを検知する電気錠制御装置等がある。
【００１７】
図２は、インターホン親機１３の概略回路構成を説明するブロック図である。
インターホン親機１３は、多重伝送線Ｌによって警報監視盤１４あるいはロビーインターホン１５と通信を行う伝送入出力回路１３ａと、マイク１３ｂ、スピーカー１３ｃを有し、相互通話を行う通話制御回路１３ｄと、その通話内容を録音する録音回路１３ｅと、スピーカー１３ｃから音声警報等を出力する警報音出力回路１３ｆと、ドアホン子器１１を制御するドアホン制御回路１３ｇと、ドアホン子器１１のカメラ１１ａで撮影した画像データあるいはロビーインターホン１５のカメラ１５ａで撮影した画像データをモニタ１３ｈに表示させる映像制御回路１３ｉと、それらの映像データを記憶する録画回路１３ｊと、応答ボタン等で構成される操作部１３ｋと、防犯センサ１２を制御するセンサ回路１３ｍと、各部を制御するＣＰＵ１３ｌとを備えている。ドアホン子器制御回路１３ｇは、ドアホン子器１１のカメラ１１ａを制御し作動させる機能を有する。
ここで、伝送入出力回路１３ａ、ドアホン制御回路１３ｇ、ＣＰＵ１３ｌは、警報監視盤１４から警戒信号を受信して、ドアホン子器１１のカメラ１１ａを作動させるカメラ制御部を構成している。
【００１８】
具体的には、このカメラ制御部は、警報監視盤１４から送信されてくる警戒信号に応じて、所定時間（例えば２０分間）カメラ１１ａを作動させる警戒モードを実行し、その間、カメラ１１ａが撮影している画像データを監視する。ここでは、輝度変化等の状態変化を検出した画像データのみを、警報監視盤１４に送信する構成が望ましい。つまり、比較的記憶容量の大きい警報監視盤に画像データを記憶する構成とすることで、保存してあった画像データが上書きされる、あるいは記憶容量が足りないために画像データを保存できない等の事態を防止できる。
また、別の実施形態として、カメラ１１ａで撮影した画像データをインターホン親機１３の録画回路１３ｊに記憶する構成としてもよい。この場合には、画像データの状態変化を監視し、状態変化を検出した画像のみを記憶することにより、録画回路１３ｊの記憶容量を節約できる。これは録画回路１３ｊの記憶容量が小さいインターホン親機１３の場合に大きな利点となる。
【００１９】
画像データの監視は、例えば、所定時間毎にカメラ１１ａの出力を画像データとして一時的に記憶し、最新の画像データの平均輝度と、直前の画像データの平均輝度とを逐次比較し、その差が閾値よりも大きい場合に、状態変化の発生と判断するようにしてもよい。なお、画像データの状態変化は、画像データの１画面を複数エリアに区分し、そのエリア毎に監視すれば、局所の輝度変化をエリアの輝度変化として検出することができるので、画像全体で平均化するために、変化の割合が小さくなって検出できないという現象を抑制できる。なお、この方法に限定されるわけではなく、公知の動き検出技術等を用いてもよい。
【００２０】
図３は、警報監視盤１４の概略回路構成を説明するブロック図である。
警報監視盤１４は、指定したインターホン親機１３あるいはロビーインターホン１５と通信を行う伝送入出力回路１４ｂと、各種操作ボタンで構成されるテンキー部１４ｃと、ハンドセット１４ｄを有し、インターホン親機１３あるいは警報監視盤１４と相互通話を行う通話制御回路１４ｅと、モニタ画面等で構成された表示部１４ｆに監視情報を表示し、インターホン親機１３から異常検知信号が送信されてくると、その内容を判別して対応した警報表示を行う表示制御回路１４ｇと、スピーカー１４ｈを有し、異常事態の発生時には警報音を出力する警報音生成回路１４ｉと、インターホン親機１３から送信されてきた画像データを蓄積する画像データ記憶手段１４ａと、各部を制御するＣＰＵ１４ｊを備えている。警報音は、各住戸のインターホン親機１３から同時に出力させるようにしてもよい。
【００２１】
図４は、ロビーインターホン１５の概略回路構成を説明するブロック図である。
ロビーインターホン１５は、指定したインターホン親機１３あるいは警報監視盤１４と通信を行う伝送入出力回路１５ｂと、呼出し先の住戸を指定するためのテンキー１５ｃと、住戸番号等を表示する表示部１５ｄを有した表示制御回路１５ｅと、カメラ１５ａと、カメラ１５ａを制御するカメラ制御回路１５ｆと、マイク１５ｇ、スピーカー１５ｈを有し、インターホン親機１３あるいは警報監視盤１４と相互通話を行う通話制御回路１５ｉと、各部を制御するＣＰＵ１５ｊとを備えている。ここで、伝送入出力回路１５ｂ、カメラ制御回路１５ｆ、ＣＰＵは１５ｊ、警報監視盤１４から警戒信号を受信して、カメラ１５ａを作動させるカメラ制御部を構成している。
【００２２】
本発明では、特に、警報監視盤１４は、防犯センサ１２の作動によって、インターホン親機１３のいずれかから防犯異常検知信号を受信したときには、その防犯異常検知信号を送信してきたインターホン親機１３の配置された住戸を判別して、判別した住戸および該住戸に近隣した住戸に設置されたインターホン親機１３、ロビーインターホン１５に警戒信号を送信することによって、それらの住戸のドアホン子器１１に接続されたカメラ１１ａ、ロビーインターホン１５のカメラ１５ａを所定のモードで一斉に作動させる機能を有する。そして、それらのカメラ１１ａ、１５ａで撮影した画像データが送信されてくると、日時、送信元の住戸番号等の情報を付加して、画像データ記憶手段１４ａに時系列的に記憶する。
【００２３】
図５は、集合住宅用インターホンシステム１の警戒動作の一例を示すフロー図で、３つのインターホン親機１３と、警報監視盤１４と、ロビーインターホン１５の連携した動作を時系列的に示している。時刻順に説明すると、まず、インターホン親機１３（Ａ）が防犯センサ１２により、不審者の侵入行為等を検知して（時刻Ｔ１）、防犯異常検知信号を警報監視盤１４に送信する（時刻Ｔ２）。
警報監視盤１４は、その防犯異常発生信号を受信すると（時刻Ｔ２）、その防犯異常検知信号を送信してきたインターホン親機の配置された住戸を判別して（時刻Ｔ３）、判別した住戸、該住戸に近隣した住戸に設置されたインターホン親機１３（Ａ〜Ｃ）とロビーインターホン１５とに警戒信号を送信する（時刻Ｔ４〜Ｔ７）。
インターホン親機１３（Ａ）は、警戒信号を受信すると（時刻Ｔ４）、所定期間ｔ０だけ警戒モードとなってドアホン子器１１のカメラ１１ａを作動させ、その後、撮影した画像データを警報監視盤１４に送信する（時刻Ｔ８）。なお、警戒モード中は、カメラが撮影している画像データを監視し、状態変化を検出した画像データを警報監視盤１４に随時送信するようにしてもよい。
インターホン親機１３（Ｂ、Ｃ）およびロビーインターホン１５も、同様に警戒信号を受信すると（時刻Ｔ５、Ｔ６、Ｔ７）、警戒モードとなってカメラを作動させ、その後、撮影した画像データを警報監視盤に送信する（時刻Ｔ９、Ｔ１０、Ｔ１１）。
警報監視盤は、インターホン親機１３（Ａ〜Ｃ）およびロビーインターホン１５から送信されてきた画像データを受信して蓄積する（時刻Ｔ８〜Ｔ１１）。
【００２４】
図６は、不審者の逃走経路を説明するための２階建て集合住宅の平面図で、矢印によって不審者の逃走経路を示している。この例では、住戸（２Ａ）の防犯センサ１２で不審者の侵入行為が検知され、その後、各住戸（１Ａ〜２Ｆ）に設置されたドアホン子器１１のカメラ１１ａが一斉に作動する。この警戒動作では、各住戸（１Ａ〜２Ｆ）のインターホン親機１３は、ドアホン子器１１のカメラ１１ａで撮影している画像データを監視しており、輝度変化等の状態変化を検出した画像データのみを、有効な画像データとして出力するので、不審者の逃走経路に沿った住戸（２Ａ、２Ｂ、２Ｃ、２Ｄ、２Ｅ、１Ｆ）に設置されたドアホン子器１１のカメラ１１ａが撮影した画像データと、ロビーインターホン１５のカメラ１５ａが撮影した画像データとが、警報監視盤１４に送信されて記憶される。なお、予測される不審者の逃走経路に沿ったカメラ１１ａを優先的に動作させてもよい。具体的には、例えば防犯センサ１２が作動したフロアに設置されたカメラ１１ａを優先的に動作させてもよい。このようにすれば、不審者を撮影できる可能性が高くなる。
【００２５】
本発明によれば、集合住宅の各住戸に設置されたドアホン子器１１のカメラ１１ａで不審者を撮影するように構成しているため、不審者がどのカメラ１１ａによっても撮影されずに逃走することは非常に困難である。また、不審者は複数のカメラ１１ａによって撮影されているはずなので、人相、風体が判別可能な画像が得られる可能性が高く、不審者を特定するために大いに役立つ。
【図面の簡単な説明】
【００２６】
【図１】本発明の実施例の概略構成を説明するシステム図である。
【図２】インターホン親機の概略回路構成を説明するブロック図である。
【図３】警報監視盤の概略回路構成を説明するブロック図である。
【図４】ロビーインターホンの概略回路構成を説明するブロック図である。
【図５】集合住宅用インターホンシステムの警戒動作の一例を示すフロー図である。
【図６】不審者の逃走経路を説明するための集合住宅の平面図である。
【符号の説明】
【００２７】
１      集合住宅用インターホンシステム
１１    ドアホン子器
１１ａ  カメラ
１２    防犯センサ
１３    インターホン親機
１３ａ  伝送入出力回路
１３ｇ  ドアホン制御回路
１３ｌ  ＣＰＵ
１４    警報監視盤
１４ａ  画像データ記憶手段
【図１】
0004853426.tif 000002
【図２】
0004853426.tif 000003
【図３】
0004853426.tif 000004
【図４】
0004853426.tif 000005
【図５】
0004853426.tif 000006
【図６】
0004853426.tif 000007